(57)【要約】      （修正有）【課題】取扱が片手のみの操作故に運転時における前方不注意の状態を回避しながらの安全な手段を採用することによって、車輌運転者が陥る眠気を長期に亘って懐柔させることの出来る眠気覚まし装置を提供する。【解決手段】眠気覚まし装置１は、基本的に車輌運転者が片手で到達可能な位置に置ける蓋付容器２とこの蓋付容器内に装置された口中に頬ばれる小粒な食料品５から構成されており、これに加えて、到達可能な位置を車輌のカップホルダーや車輌運転者の身の回りにしたり、蓋付容器の蓋６を片手で開閉できたり、小粒な食料品に塩気を帯びさせることも出来る。【選択図】図１
0003133895.tif 000002
【実用新案登録請求の範囲】
【請求項１】
車輌運転者が片手で到達可能な位置に置ける蓋付容器と該蓋付容器内に装置された口中に頬ばれる小粒な食料品から構成される眠気覚まし装置。
【請求項２】
到達可能な位置が、車輌のカップホルダーであることを特徴とする請求項1に記載の眠気覚まし装置。
【請求項３】
到達可能な位置が、車輌運転者の身の回りであることを特徴とする請求項1に記載の眠気覚まし装置。
【請求項４】
蓋付容器の蓋が、片手で開閉できることを特徴とする請求項1〜３に記載の眠気覚まし装置。
【請求項５】
小粒な食料品が、塩気を帯びていることを特徴とする請求項1〜４に記載の眠気覚まし装置。
【考案の詳細な説明】
【技術分野】
【０００１】
本考案は、車輌運転者が陥る眠気を長期に亘って懐柔させる眠気覚まし装置に関する。
【背景技術】
【０００２】
自動車を始めとして多くの車輌を長時間もしくは長距離に亘って運転する場合には、何れの場合にあっても必ず大小の眠気を催すものであり、このために大事故に至ることが必須であることから、従来から眠気を起こさせない手段や睡魔が発生してもこれを解消させるために多くの対策が講じられてきた。
【０００３】
その対策の一つとしては、車両運転者の眠気を感知する手段と車両の運行状況を検出するナビゲーション手段を配置すると共に、眠気のある運転者を覚醒させるために体を動かす手段を含む複数の覚醒パターンと車両の運行状況に応じて運転者に適する覚醒パターンとを選択して、画面表示手段と音声再生手段を用いて運転者に選択した覚醒パターンを実行させるためのエージェント手段から構成された運転者に対する覚醒システムであり、この覚醒システムを車輌に装備することによって車両や運転者の様々な状況を正確に把握してそれらの状況に合わせて運転者の眠気覚ましを確実に実行するシステムである。（特許文献１）
このシステムは、上記のように眠気の感知手段、運転状況のナビゲーション手段及び各種の覚醒パターンを選択して画面表示と音声再生の手段で運転者に実行させるエージェント手段のように相当の大掛かりな手段を必要としているので、コスト面からの制約を余儀なくされている。
【０００４】
又、居眠り運転をしている自動車の存在とその走行位置とを、他の自動車に知らせて注意と回避を促すことによって居眠り運転に起因する交通事故の二次被害の発生を防止する手段も提案されている。
この方式は、自動車に搭載されたカーナビゲーション装置によって運転者のまばたきや眼球の動き，体温等から運転者の居眠りを監視するものであって、運転者が居眠りを開始すると、カーナビゲーション装置に内蔵されている警告送信部と警告送受信アンテナとが近くを走行する他の自動車に向けて警告信号と現在の走行位置を表す走行位置座標データとを送信している。
他の自動車に備えられているカーナビゲーション装置は、警告受信部と警告送受信アンテナとで警告信号と走行位置座標データとを受信して地図が表示されている液晶ディスプレイに居眠り運転を行なっている自動車の走行位置を表示するものである。（特許文献２）
本方式では、全ての自動車がカーナビゲーション装置を備えていることを前提にしており、何れかの自動車がカーナビゲーション装置を備えて居ない場合には全体が機能しないことになるので、方式的には未完の部分を残しており更なる改良が待たれるものである。
【０００５】
一方、自動車に特別の装置やシステムを設けることなく、車輌の運転手が運転中にガムを噛み続けたり飲物を飲んだりすることで運転手の睡魔自体を解消させて発生させない方策も採用されてきた。
本例としては、醗酵乳液１７５ミリリットルとコーヒー液２５ミリリットルとを混ぜ合わせてコーヒー入り醗酵乳を作るという提案であるが、この際に、コーヒー液２５ミリリットル内のコーヒー成分を通常に飲むコーヒーと同程度にしておくことで、このコーヒー入り醗酵乳を飲むと眠気覚ましの目的が果たせると主張している。（特許文献３）
しかし、この例は、コーヒー入り醗酵乳を飲む行為において車輌の運転中では容器から醗酵乳がこぼれて衣服を汚してしまう危険性を孕んでいると共に、停車中に飲む場合にはコーヒー成分が効力を失うたび毎に車輌を停車させる必要があるという煩わしさを伴っているものであり、多くの問題点を含んだ対策である。
【０００６】
以上のように、従来の車輌運転中における眠気覚まし対策は、大掛かりな手段の配備に要するコスト面に問題があったり、全ての車輌に同一性能のカーナビゲーション装置を備える必要があるという不便さがあるものであり、このような問題点や不便さの生じないところの車輌運転者が飲んだり噛んだりする行為を伴う対策は、短期間の持続性等の効能面や取り扱いにおける煩雑さの点で確信を持てる対策ではなかったように、何れの対策においても解決を要する問題点を含んでいるために眠気覚まし対策の有効な解決策が求められていた。
【特許文献１】特開２００５−３５２８９５号公報
【特許文献２】特開２００５−１９００８２号公報
【特許文献３】特開２００５−１３１８９号公報
【考案の開示】
【考案が解決しようとする課題】
【０００７】
本考案は、取扱が片手のみの操作故に容易であって無被害故に安全である手段の採用によって、車輌運転者が陥る眠気を長期に亘って懐柔させることの出来る眠気覚まし装置を提供している。
【課題を解決するための手段】
【０００８】
本考案による第１の眠気覚まし装置は、車輌運転者が片手で到達可能な位置に置ける蓋付容器とこの蓋付容器内に装置された口中に頬ばれる小粒な食料品から構成されるので、車輌運転者が運転中に蓋付容器内から装置されている小粒な食料品を容易に取り出して支障なく口中に頬ばれることから、運転時における前方不注意の状態を回避しながら必要に応じた適宜量の食料品を随意に噛み続けられるので、車輌運転者の眠気を長期に亘って確実に懐柔させることが出来る。
【０００９】
本考案による第２の眠気覚まし装置は、第１の眠気覚まし装置において到達可能な位置を車輌のカップホルダーにすることを特徴としているので、第１の眠気覚まし装置における作用効果に加えて、配置する蓋付容器の設置安定性をさらに向上させられる。
【００１０】
本考案による第３の眠気覚まし装置は、第１の眠気覚まし装置において到達可能な位置を車輌運転者の身の回りにすることを特徴としているので、第１の眠気覚まし装置における作用効果に加えて、小型の蓋付容器を洋服のポケット等の身辺付近に容易に保持出来る。
【００１１】
本考案による第４の眠気覚まし装置は、第１〜３の眠気覚まし装置において蓋付容器の蓋を片手で開閉できることを特徴としているので、第１〜３の眠気覚まし装置における各作用効果に加えて、蓋付容器内に装置された口中に頬ばれる小粒な食料品をさらに容易、確実に取り出して口中に頬ばれる。
【００１２】
本考案による第５の眠気覚まし装置は、第１〜４の眠気覚まし装置において小粒な食料品に塩気を帯びさせることを特徴としているので、第１〜４の眠気覚まし装置における各作用効果に加えて、車輌運転者の眠気をさらに長期に亘って確実に懐柔出来る。
【考案の効果】
【００１３】
本考案による眠気覚まし装置は、基本的に車輌運転者が運転中に蓋付容器内から装置されている小粒な食料品を容易に取り出して支障なく口中に頬ばれるので、運転時における前方不注意の状態を回避しながら必要に応じた適宜量の食料品を随意に噛み続けられて車輌運転者の眠気を長期に亘って確実に懐柔させる効果を奏している。
上記効果に加えて、到達可能な位置を車輌のカップホルダーにすることで配置する蓋付容器の設置安定性をさらに向上させられ、或いは到達可能な位置を車輌運転者の身の回りにすることで小型の蓋付容器を車輌運転者の身辺付近に容易に保持出来る効果も加算される。
さらに、蓋付容器の蓋を片手での開閉を可能にして容器内に装置された小粒な食料品を容易、確実に取り出して口中に頬ばれるし、食料品に塩気を帯びさせることで車輌運転者の眠気をさらに長期に亘って確実に懐柔出来る効果が付加されるものである。
【考案を実施するための最良の形態】
【００１４】
本考案による眠気覚まし装置は、基本的に車輌運転者が片手で到達可能な位置に置ける蓋付容器とこの蓋付容器内に装置された口中に頬ばれる小粒な食料品から構成されており、車輌運転者が運転中に前方から視線を逸らすことなく蓋付容器内から装置されている小粒な食料品を容易に取り出して支障なく口中に頬ばれることから、必要に応じて任意量の食料品を適宜に噛み続けられるので車輌運転者の眠気を長期に亘って確実に懐柔させることが出来る。
以下に、本考案による眠気覚まし装置を複数の実施の形態に基づいて説明する。
【実施例１】
【００１５】
本実施例では、図１に示す眠気覚まし装置を参照しながら説明する。
眠気覚まし装置１は、容器２の底部３を配置する車輌等の容器入れの形状に対応させた楕円形もしくは矩形状にすると共にテーパーを付けて構成することで、容器入れに収納させ易くしながら移動できないようにすることで眠気覚まし装置１の設置時における安全性を確保している。容器２の上部に形成される開口部４は、底部３と類似形であっても容器内に装置されているあられ菓子や小さめな煎餅等に代表される小粒な食料品５を容易に摘み出せるように底部３よりも若干拡張された形状に構成されている。
開口部４は、広い形状に形成していることから容器２の内部に装置されている食料品５が車輌の振動等によって容器外に散乱する場合も想定されることから、食料品を必要としない常時は図示では開口部４を開放して側面に立て掛けている蓋６によって封鎖されているものである。
【００１６】
容器２の内部に装置されている食料品５は、あられ菓子や小さめの煎餅のように小粒な形状であって、適当な複数個を一掴みに握り取って口中に容易に放り込んで仕舞えるようにしているが、このことは、車輌の運転手が運転中に睡魔を懸念した際にも気軽に小粒の食料品５を片手で容易に食べられると同時に素早く手を開放することで脇見や片手操作等の運転に支障を与える状態をできるだけ少なくするためであり、少量の食料品５を長時間に亘って口中で手放しのままで気楽に噛み続けながら両手による安全運転を継続できるようにするためであって、運転手に煩雑さ意識を与えることなく睡魔を気楽に懐柔させる目的のためである。
【実施例２】
【００１７】
本実施例では、図２に従って車輌の運転席側に配置した眠気覚まし装置の使用例を説明する。
我が国で一般的な右ハンドルの車輌では、運転席の左側や図示していない前方のダッシュボード上にカップホルダー７が装備されている。運転席の左側に位置するカップホルダー７は両方の座席８、９の間と肘掛１０の前方に位置させて、ダッシュボード上のそれと同様に車輌の運転手に邪魔にならない状態で配置されているものであって、運転手が右手での片手運転をしながらその左手でカップホルダー７に置いた飲物容器や食べ物を前方から視線を外すことなく簡単に取り扱えるように考慮されている。
従って、本実施例では眠気覚まし装置１を図示のようにカップホルダー７の中に装備して置くものであり、眠気覚まし装置１における容器は、その底部をカップホルダー７の形状に合致させてテーパー状の寸法形状に形成することによって装備された眠気覚まし装置１が車輌の振動によってもカップホルダー７から外部にはみ出さないようにすると共に、眠気覚まし装置１の容器から蓋を外して図示のような状態になった場合においても容器内に装置されている食料品５が同様に容器外に散乱しないように配慮している。
【００１８】
又、本実施例では上記のように考慮されていることから、車輌の運転者が眠気を意識したときには片手運転をしながら左手一本で容易に眠気覚まし装置１の蓋を容器の上部から開放して容器内の食料品５を必要な数だけ簡単に摘み出せると共に、そのまま口中に放り込むことも容易であって直ちに正常な運転状態に簡単に復帰出来るものであり、加えてその繰り返しも自由であるところから、運転手は煩雑さ意識を全く持つことなく長時間の運転であっても睡魔を容易に懐柔させ得るものである。
【実施例３】
【００１９】
本実施例は、図３に示す眠気覚まし装置の容器に基づいて車輌への配置に無関係な眠気覚まし装置の使用例その他について説明する。
本実施例での眠気覚まし装置は、その配置場所が車輌運転者の身の回りであると共に容器の蓋は片手で開閉できるものであり、小粒な食料品も塩気を帯びていることで上記に説明した各実施例の幅を更に拡張している。
【００２０】
図３に示す本実施例は、眠気覚まし装置１１の形態が全体的に小ぶりであって運転手が身につけている洋服のポケットにも容易に収納可能な大きさの例である。眠気覚まし装置１１の容器１２は、容器本体１３と蓋１４とが片方にヒンジ１５によって一体化する片開きの貝殻状に構成されており、ヒンジ１５の反対側には蓋を閉じたままに維持するための鍵部１６が設けられている。本鍵部１６は、容易に取り外せる構造のものであり、片手で簡単に操作できる形態である。
容器本体１３に装置される小粒の食料品は、金平糖やあられ煎餅のような小型形状の菓子類であり、これら菓子類の表面や内部には若干の塩気が塗されるか含有されている。
【００２１】
本実施例の眠気覚まし装置は、以上のように構成されているので眠気覚まし装置を車輌のカップホルダー中に装備して置かなくても運転手の身の回りである洋服のポケット等に含ませることでも運転手が車輌に簡単に持ち込めると共に、睡魔が襲ってくる懸念が生じた場合には前方から視線を外すことなく片手の操作で簡単に容器内の小粒な食料品を容器から必要量だけ取り出して容易に口中に頬張れるものであり、この際の食料品が塩気を含んでいる場合には更に長時間に亘って運転手の眠気を懐柔させ得るものである。
【産業上の利用可能性】
【００２２】
本考案による眠気覚まし装置は、車輌運転者が片手で到達可能な位置に置ける蓋付容器とこの蓋付容器内に装置された口中に頬ばれる小粒な食料品から構成されることから、車輌運転者が運転中に蓋付容器内から装置されている小粒な食料品を前方不注意の状態を回避しなから容易に取り出して支障なく口中に頬ばれて必要に応じた適宜量の食料品を随意に噛み続けられるので、車輌運転者の眠気を長期に亘って確実に懐柔させることが出来る。
【図面の簡単な説明】
【００２３】
【図１】本考案による眠気覚まし装置の斜視図
【図２】本考案による眠気覚まし装置の車輌への配置図
【図３】本考案による他の眠気覚まし装置の斜視図
【符号の説明】
【００２４】
１、１１…眠気覚まし装置、２…容器、３…底部、４…開口部、５…食料品、６…蓋、７…カップホルダー、８、９…座席、１０…肘掛、１２…容器、１３…容器本体、１４…蓋、１５…ヒンジ、１６…鍵部
【図１】
0003133895.tif 000003
【図２】
0003133895.tif 000004
【図３】
0003133895.tif 000005